(57)【要約】【課題】携帯性があり、一枚の書類から雑誌、文庫本等まで対応できる書見台で筆記台としても機能するロック機能付き双クリップボードを提供する。【解決手段】従来のクリップボードのクリップ部分を２個連結し、それを連動させ、それぞれにロック及びロック解除機能を付けると共に、書類の大きさに合わせてスライドする書類受け板を取り付け、裏面にはボードの傾斜角調整機能付の折りたたみ式の脚とが一体となった書見台兼筆記台として使用できるクリップボード。【選択図】  図１
2005230513.tif 000002
【特許請求の範囲】
【請求項１】
各々独立して作用する２個のクリップと、それらを同時に開ける装置と、バネ又は歯車あるいは回転ドラムを使った装置によりクリップを開いた状態で固定及びその固定解除のできる装置とが一体になった構造を特徴とした個別に作用するロック及びロック解除機能つき連動双クリップと任意の傾斜角となる折畳み脚が付いた書見台兼筆記台兼クリップボード。
【請求項２】
「請求項１」の連動双クリップをボードの、おもて面上部に取り付けた物と、そのボードのおもて面を、上下に可動及び固定する書類受けと、そのボードの裏面に折りたたんで収納できる傾斜角調整機能付の脚とを組み合わせて一体化した構造を特徴とする個別に作用するロック及びロック解除機能つき連動双クリップと任意の傾斜角となる折畳み脚が付いた書見台兼筆記台兼クリップボード。
【請求項３】
「請求項１」の連動双クリップと、伸縮可能な自立型の支柱とを組み合わせた構造を特徴とする書見台。
【請求項４】
「請求項１」の連動クリップと文鎮型の据え置きタイプの土台とを組み合わせた構造を特徴とする書見台。
【発明の詳細な説明】
【技術分野】
【０００１】  本発明は、紙挟み及びクリップボード並びに書見台及び筆記台に関するものである。
【背景技術】
【０００２】  従来、クリップボードのクリップはロック機能を有していない構造のものが多いため、数枚の書類等を挟むには最適であるが、本等を開いて挟む場合、両手を使わないと挟み難いため、不便であった。
更に１個のクリップからなるクリップボードに本等を開いて挟む時、左右のページ数が異なれば、厚い方のページを重点的に挟むため、薄いほうのページは挟む事が出来なかった。【０００３】  従来の技術のクリップボードの中には、左右に独立したクリップを有するものや、２つのクリップが連結したもの等があるが、そのいずれも、完全に独立していないため、使い勝手等の面で改善の余地があった。
又、ロック機能がついたクリップボードにおいては、ロック解除する場合にバネの力で、いきなり閉じる為、指等挟む危険性があった。【０００４】  従来の技術による書見台は、左右のページ挟み部分に、左右連動したロック及びロック解除機能が無く新しい書物を見る場合不便であった。
書見台では最適な目線を確保する為、ボードの傾斜角調整が必要となるが、それを調整する折りたたみ式の脚を有したもので、その傾斜角を、簡単かつ無段階に連続して角度調整が出来る技術は少なく、角度調整が出来たとしても、その装置が大げさで携帯性に欠けていた。【０００５】  パソコン専用の書見台などは、数枚の書類を挟むのは便利であっても、本は挟み難くかった。また、読書専用の書見台は一枚ものの書類を挟むには不便であった。薄い書類も厚い本も挟める様な、両機能を兼ね備える技術はなく、利用目的に合った書見台をそれぞれ使い分けていた。【０００６】  従来、机上で読み書きする際は、視線がほぼ真下に来るため自然と前かがみになり、姿勢の悪さの原因や肩こりの原因となるだけでなく、前かがみになった頭部の影でその部分が薄暗くなり、視力の低下の原因ともなっていた。【０００７】  職場あるいは学校または役所等において、面接形式で、面談する場合、相手に見られたくない文書を、相手の面前で見書きする場合は、それを直接、机上に置けば、相手に見られてしまうため不都合があった。【０００８】  従来、書類等で散乱したり汚れたりした机等で、大事な書類等に文字を書き込む場合は、机上の一部を片付けて記入していた。また、新聞を読む際には、机上が散乱していた場合には、その上では新聞を広げて見づらいものの、新聞を読む為にわざわざ机上を整理する手間が煩わしく、両手で新聞を持って読んでいた。【０００９】  従来の技術による筆記台では、軽量で携帯性に優れ書見台及びクリップボードとして兼用できるものは無く、それぞれ必要なものを取り揃えていた。
【特許文献】特開２００１−３２１２２８  特許公開２００３−９３１６４  特開平１１−１６９２３６  特開２００１−２９９４６３
【実用新案文献】
実願昭６２−１１７０１８  実開平５−２８６７６【非特許文献】
【発明の開示】
【発明が解決しようとする課題】
【００１０】  携帯性があり、書見台及び筆記台としての機能を一つのクリップボードで兼ね備えた用具を提供する。
【課題を解決しようとする課題】
【００１１】  課題を解決するため、従来のクリップボードの単クリップ部分を双クリップとし、それを連動させ、それぞれにロック及びロック解除機能を付け、そのボード部分の傾斜角を調整できる構造とし、それを折りたたみ式の脚としたものを組み合わせた筆記台兼書見台になる連動双クリップボードとしたものである。
【発明の効果】
【００１２】  本発明は、以下の実施例で説明するような装置で構成されているので、以下に記載されるような効果を奏する。
【００１３】  クリップボードに脚を付けることで、本来のクリップボードとして使用できる他、ボード面に本を乗せ、書類受けで本を受けて左右のページを挟めば、書見台として使用できる。
その場合、個別に作用する連動双クリップの為、本を挟む場合左右のページ数が極端に違い、その厚さがまったく異なっていても、それぞれ紙の厚さに合わせて挟むことが出来るので、書見台として適している。
【００１４】  また、ロック及びロック解除のいずれを行う場合でも、親指で紙挟み部分を押さえ、残りの指でロックレバーとボード上部を押さえて固定する構造であるので、いずれの場合でも紙挟み部分を意識的に親指で開閉でき、不用意に指を挟む危険性から開放される。
さらに、紙挟み部分を広げた状態でロックできることにより、従来の様に紙挟み部分を片手で持ち上げて保持している必要がないので、両手が自由となり書類あるいは本を挟むことが容易となる。
【００１５】  ボード面の角度を連続して変える構造であるから、あらゆる傾斜角に調整でき、目線の高さに応じて自由に変えられるので、子供から大人まで読書用の書見台として使用できる。
また、パソコンの文字入力時の書見台として使用する時は、一枚の用紙から厚い本まで挟める。
【００１６】  文字を書く為にボードを使用する場合は、本受けを倒し、ボードを適宜の傾斜角にしてクリップで書類又はノート等を挟んで文字を書けば姿勢良く書け、首や肩が凝らず長時間の書き物にも対応でき、老眼の場合も難なく書ける。更に、目が近くならず近視予防にも効果が望める。
また、この発明品は携帯性がある為、携帯して筆記台として使用すれば場所を選ばないミニ机として使用できる。
【００１７】  至近距離の位置に相対して座って面接する場合に相手に見られたくない書類等に面接しながら記入する場合に、適宜の角度に調整して書見台とすれば違和感無くあらゆる書類を開いて見たりを書いたり出来る。
【００１８】  連動双クリップと支柱が一体となった本装置を使用すればＡ３サイズ判等の料理本を見ながら料理する場合、置く場所を取らず見やすい角度に調整できる書見台として利用できるし小型版の書物を見る場合も、高さ調整ネジで低くすれば自在に利用できる。
また、連動双クリップと文鎮型の平台が一体となった本装置を使用すれば簡易型の書見台として利用できる。
【００１９】  書見台を携帯する場合であっても、脚を折り畳むことが出来て、持ち運びも便利な上、書類止めとして書類をばらつかせずに持ち運ぶことができる。
また、脚及び本受けを折畳めば、コンパクトに収納できるので仕舞う時にも場所をとらない。
【発明を実施するための最良の形態】
【００２０】連動双クリッップをボードのおもて面上部に、ロックレバーをボードの天に、スライドする本受けをおもて面下部に、折りたたみ脚を背面に、それぞれ組み込み、書見台兼筆記台兼クリップボードとして使用する。
【実施例１】
【００２１】  図１は本発明の装置を全て備え、書見台として使用している概略斜視図である。
ボード（１）に各々個別に作用し連動する双クリップ（２）と、ロックレバー（７）と、折畳み式の脚（３）と、スライド式の本受け板（４）とが一体となって構成され、左右のページ数が異なる状態に開いた本を、それぞれのクリップが挟んでいる様子である。
図にあるように、右側のページは薄く、左側のページは厚いが、個別に作用するクリップの為、右側の厚さに影響されず、薄いページでもしっかりと挟むことが出来る。【００２２】  なお、ロック及びロック解除装置の詳細については図３，４，５で説明する。また、クリップの紙押さえ兼開閉レバー（５）及び、折畳み脚３にはそれぞれ滑り止め（６）等の装置又は、加工を施し、本受け（４）には、本押さえ（２０）を取り付け、（２）と（２０）が簡単な装置で連動するのが良い。【００２３】  図２は、連動双クリップをボードに取り付けた様子を正面上部から見た斜視図である。左右のクリップはそれぞれ個別に作用するが、それを連動さすため、左右の紙押さえ兼開閉レバー（５）及びレバー押上げ部（８）の隣接部は双方一体となる形状で、親指でレバー（８）を起こすことが出来る。また、ロックレバー（７）もそれぞれ個別に機能するが、連動して作用さすことが出来るように、ボード天部中央位置に、双方隣接させ横並びに配列する。【００２４】  図３は連動双クリップ（２）に左手親指を押し当てて開いている様子を横から見た斜視図である。従来の、紙押さえ兼開閉レバー（５）の操作方法は、まず、親指以外の４本の指の腹でボードの天を押さえ、次に、親指で、紙挟み兼開閉レバー（５）を持ち上げる手順であるが、本発明は、その持ち上げた後に、ボードの天のロックレバー（７）を人差し指で押さえて親指の力を意識的に弱めることで、ロック及びロック解除ができるので、紙挟み兼開閉レバーを安全に下ろすことが出来る。【００２５】  図４は、板バネの動作によるクリップを押し上げロックした様子の側面図である。板バネからなるロックレバーは固定部（１１）を基点に真直ぐ伸びようとする性質のため、図のように伸びて、ロックレバーのツメ部（１２）がクリップレバーのツメ（１２）と接合し、クリップの戻ろうとする力が働くことにより、それぞれのツメが接合してロックが掛かった状態となる。なお、この状態からロック解除するには、紙押さえレバー（５）を押し上げロックレバー（７）を押さえれば図５の様になり解除される。【００２６】  図５はコイルバネ動作によるクリップに、板バネロック装置を押してロック解除の状態を示した側面図である。クリップの押さえる力はコイル状のバネか板バネのいずれかを使うものとし、以下この図では、コイルバネによるクリップを元にロック装置の説明をする。【００２７】  コイル状バネ（９）を外カバー（１０）と紙押さえ兼開閉レバー（５）の根元に当たる心棒に固定する。ロックレバー（７）はロックレバー固定部（１１）で固定し、図のようにレバー先端部を人差し指で押さえると、板バネのロックレバーがたわみ、それぞれのロック用ツメ（１２）が接触しなでフリーとなりロック解除ができる。【００２８】  図６はアームつき回転ドラム方式のロック装置の側面図である。この図は、ロック装置の前述以外の実施方法の一例である。この装置はロックレバーが無く紙押さえ兼開閉レバー（５）を動かすことにより（５）と連動したドラム（１３）に付いたツメ（１２）とロック用板バネのツメが結合し、（５）のレバーを起こす範囲により板バネ引き離しアーム（１４）又は板バネ引き寄せアーム（１５）が���用することでツメ（１２）がかみ合ったり離れたりし、ロック及びロック解除が出来る。【００２９】  図７は、カバー側面にロック用切り込みを入れドラムを回してロック解除する装置の側面図である。この装置は紙押さえ兼開閉レバー（５）そのものも内側に対してバネの特性を持つ物を使用し、カバー側面の切り込み部（１６）に、はまったら切り込み部に食い込む様な力が働くことが条件となる。【００３０】  ロック解除する場合はレバーをさらに上に引き上げることでレバーストッパー（１７）に紙押さえ兼開閉レバー（５）が当たりドラムが回転し、切り込み口をふさぎ、レバーを押す力を緩めればドラムの形状に沿ってレバーは下がってくる。下がってきたところで下方のストッパー（１７）に当たりドラムを回転さす。回転することで切り込み口が開き、再度レバーを上げればロックできる。【００３１】  図８は歯車を使ったロック装置である。レバーを動かすことで歯車（１８）が回転し、２回歯車を進めることで一回ロック用歯車が作用する。つまり一回レバーを動かせばロックが掛かり、もう一回レバーを動かせば、ロック解除となる。【００３２】  図９は折りたたみ式脚を装着したクリップボード背面の概略斜視図である。図の様に３個の穴の開いたレール貫通用穴の付いた脚（３）に、３本の誘導用レール（１９）を通し、スライドさす事でボードの傾斜角度を変えることが出来る。なお、レールは１本又は２本でも良い。
【実施例２】
【００３３】  図１０は請求項１の双クリップを自立した支柱に見開きＡ３版の絵本あるいは料理本又はレストラン等の食事メニュー等を挟んでいる様子を後ろから見た概略斜視図である。挟んで立てる物の大きさにより高さ調整ネジで高さを調整して使用すればどのような大きさの物でも使用できる。
【実施例３】
【００３４】  図１１は双クリップと文鎮型の平台とを組み合わせた簡易書見台である。クリップの真ん中は、本の背が入るように空洞になっている。
【産業上の利用可能性】
【００３５】  実施例１の方法により、学校等で教科書、参考書、ノート、用紙等あらゆるものを挟むにも安全に操作できる。更に、軽量かつ携帯性に優れているためランドセル等で持ち運びするか、教室で各自が保管すれば、日常的に、自宅、学校、学習塾等で利用でき、良い姿勢で読み書きする習慣が身に付くことで、視力低下防止や頭痛肩こり防止の健康維持に貢献できる。また、学校等で渡されるプリント等を挟んで持ち帰れば、紛失せず、皺にもならずに済む。【００３６】  実施例２，３において、双クリップを利用することで、書見台、筆記台の他、料理を作る際のレシピ挟み、大判の写真たて、商品陳列時の説明書挟み等として利用できる。
【図面の簡単な説明】
【００３７】
【図１】本装置に最後のページを開いた本を乗せて書見台として使用している様子を正面上部から見た概略斜視図である。（実施例１）
【図２】双クリップを取り付けたボードを正面上部から見た斜視図である。（実施例１）
【図３】クリップを左手で開いている様子を横から見た斜視図である。（実施例１）
【図４】板バネ動作によるクリップに板バネロック装置を押してロックの状態を示した側面図である。
【図５】コイルバネ動作によるクリップに板バネロック装置を離してロック解除の状態を示した側面図である。
【図６】アームつき回転ドラム方式のロック装置の側面図である。
【図７】カバー側面にロック用切り込みを入れドラムを回してロック解除する装置の側面図である。
【図８】歯車を使ったロック装置の側面図である。
【図９】本装置の折りたたみ脚の様子を背面から見た概略斜視図である。（実施例１）
【図１０】双クリップと自立型支柱とを組み合わせた書見台の一例である。（実施例２）
【図１１】双クリップと文鎮型の平台とを組み合わせた書見台の一例である。（実施例３）
【符号の説明】
【００３８】  １    ボード
２    連動双クリップ
３    折り畳み脚
４    書類受け
５    紙押さえ兼開閉レバー
６    滑り止め
７    ロックレバー
８    レバー押上げ部
９    コイル状バネ
１０  外カバー
１１  ロックレバー固定部
１２  ロック用ツメ
１３  ドラム
１４  板バネ引き離しアーム
１５  板バネ引き寄せアーム
１６  カバー側面切り込み
１７  レバーストッパー
１８  歯車
１９  誘導レール
２０  本押さえ
【図１】
2005230513.tif 000003
【図２】
2005230513.tif 000004
【図３】
2005230513.tif 000005
【図４】
2005230513.tif 000006
【図５】
2005230513.tif 000007
【図６】
2005230513.tif 000008
【図７】
2005230513.tif 000009
【図８】
2005230513.tif 000010
【図９】
2005230513.tif 000011
【図１０】
2005230513.tif 000012
【図１１】
2005230513.tif 000013